(57)【要約】  バッテリー情報を報告するための装置および方法は、ネットワークエンティティから報告モードを含む設定情報を受信することと、ユーザ機器（ＵＥ）のバッテリー情報を集めることと、報告モードにおいてバッテリー情報を準備することと、ネットワークエンティティに通信移送機構を介して、報告モードにおいてバッテリー情報を送信することとを含む。一態様において、バッテリー情報を受信するための装置および方法は、報告モードを選択および設定することと、ユーザ機器（ＵＥ）に通信移送機構を介して、報告モードを含む設定情報を送信することと、設定情報および報告モードを使用するＵＥからバッテリー情報を受信することとを含む。
2013521707.tif 000002
【特許請求の範囲】
【請求項１】
バッテリー情報を報告するための方法であって、
ネットワークエンティティから報告モードを含む設定情報を受信することと、
ユーザ機器（ＵＥ）の前記バッテリー情報を集めることと、
前記報告モードにおいて前記バッテリー情報を準備することと、
前記ネットワークエンティティに通信移送機構を介して前記報告モードにおいて前記バッテリー情報を送信することと
を含む、方法。
【請求項２】
前記ネットワークエンティティは、次の、ＲＡＮエンティティ、コアネットワーク（ＣＮ）エンティティ、または管理システムエンティティ、のうちの一つである、請求項１に記載の方法。
【請求項３】
必要である場合にのみ使用するＵＥのバッテリー情報の報告をアクティブ化する前記ネットワークエンティティをさらに含む、請求項２に記載の方法。
【請求項４】
前記報告モードは、次の、定期的モード、イベント・トリガモード、または定期的モードとイベント・トリガモードの組み合わせ、のうちの１つである、請求項２に記載の方法。
【請求項５】
前記バッテリー情報は、次の、利用可能な全バッテリー容量、最大容量のパーセンテージ、バッテリー動作のための残り時間、現在の残っているバッテリー容量で予想される通話時間、またはダウンロード可能またはアップロード可能なデータ量、または消費速度、のうちの１つとして表現される、請求項１に記載の方法。
【請求項６】
前記通信移送機構は、前記ＵＥと無線アクセスネットワーク（ＲＡＮ）エンティティとの間にあり、ここにおいて前記通信移送機構は、アクセス階層（ＡＳ）シグナリングを使用する、請求項１に記載の方法。
【請求項７】
前記通信移送機構は、前記ＵＥとコアネットワーク（ＣＮ）エンティティとの間にあり、ここにおいて前記通信移送機構は、非アクセス階層（ＮＡＳ）シグナリングを使用する、請求項１に記載の方法。
【請求項８】
前記通信移送機構は、前記ＵＥと管理システムエンティティとの間にあり、ここにおいて前記通信移送機構は、オープン・モバイル・アライアンス・デバイス管理（ＯＭＡ−ＤＭ）に基づいてトランスポートプロトコルを使用する、請求項１に記載の方法。
【請求項９】
バッテリー情報を受信するための方法であって、
報告モードを選択および設定することと、
ユーザ機器（ＵＥ）に通信移送機構を介して、前記報告モードを含む設定情報を送信することと、
前記設定情報および前記報告モードを使用する前記ＵＥから前記バッテリー情報を受信することと
を含む、方法。
【請求項１０】
前記報告モードは、次の、報告期間または報告間隔に基づいた定期的モード、または報告トリガイベントに基づいたイベント・トリガモード、のうちの１つである、請求項９に記載の方法。
【請求項１１】
前記報告トリガイベントは、ａ）第１のしきい値を下回るＵＥのバッテリーレベル、または、ｂ）第２のしきい値を上回るＵＥのバッテリーレベルを含み、前記第１のしきい値および第２のしきい値は前記ネットワークによって設定され、前記ＵＥに送信されるパラメータである、請求項１０に記載の方法。
【請求項１２】
プロセッサおよびメモリを含む装置であって、前記メモリは、次の、
ネットワークエンティティから報告モードを含む設定情報を受信することと、
ユーザ機器（ＵＥ）のバッテリー情報を集めることと、
前記報告モードにおいて前記バッテリー情報を準備することと、
前記ネットワークエンティティに通信移送機構を介して、前記報告モードにおいて前記バッテリー情報を送信することと
を実行するための前記プロセッサによって実行可能であるプログラムコードを含む前記メモリ
を含む、装置。
【請求項１３】
前記ネットワークエンティティは、次の、ＲＡＮエンティティ、コアネットワーク（ＣＮ）エンティティ、または管理システムエンティティ、のうちの１つである、請求項１２に記載の装置。
【請求項１４】
前記メモリは、必要である場合にのみ使用するＵＥのバッテリー情報の報告をアクティブ化するためのプログラムコードをさらに含む、請求項１３に記載の装置。
【請求項１５】
前記報告モードは、次の、定期的モード、イベント・トリガモード、または定期的モードとイベント・トリガモードの組み合わせ、のうちの１つである、請求項１３に記載の装置。
【請求項１６】
前記バッテリー情報は、次の、利用可能な全バッテリー容量、最大容量のパーセンテージ、バッテリー動作のための残り時間、現在の残っているバッテリー容量で予想される通話時間、またはダウンロード可能またはアップロード可能なデータ量、または消費速度、のうちの１つとして表現される、請求項１２に記載の装置。
【請求項１７】
前記通信移送機構は、前記ＵＥと無線アクセスネットワーク（ＲＡＮ）エンティティとの間にあり、ここにおいて前記通信移送機構は、アクセス階層（ＡＳ）シグナリングを使用する、請求項１２に記載の装置。
【請求項１８】
前記通信移送機構は、前記ＵＥとコアネットワークエンティティ（ＣＮＥ）との間にあり、ここにおいて前記通信移送機構は、非アクセス階層（ＮＡＳ）シグナリングを使用する、請求項１２に記載の装置。
【請求項１９】
前記通信移送機構は、前記ＵＥと管理システムエンティティとの間にあり、ここにおいて前記通信移送機構は、オープン・モバイル・アライアンス・デバイス管理（ＯＭＡ−ＤＭ）に基づいてトランスポートプロトコルを使用する、請求項１２に記載の装置。
【請求項２０】
プロセッサおよびメモリを含む装置であって、前記メモリは、次の、
報告モードを選択および設定することと、
ユーザ機器（ＵＥ）に通信移送機構を介して、前記報告モードを含む設定情報を送信することと、
前記設定情報および前記報告モードを使用する前記ＵＥからバッテリー情報を受信することと
を実行するための前記プロセッサによって実行可能であるプログラムコードを含む前記メモリ
を含む、装置。
【請求項２１】
前記報告モードは、次の、報告期間または報告間隔に基づいた定期的モード、または報告トリガイベントに基づいたイベント・トリガモード、のうちの１つである、請求項２０に記載の装置。
【請求項２２】
前記報告トリガイベントは、ａ）第１のしきい値を下回るＵＥのバッテリーレベル、または、ｂ）第２のしきい値を上回るＵＥのバッテリーレベルを含み、前記第１のしきい値および第２のしきい値は前記ネットワークによって設定され、前記ＵＥに送信されるパラメータである、請求項２１に記載の装置。
【請求項２３】
バッテリー情報を報告するための装置であって、
ネットワークエンティティから報告モードを含む設定情報を受信するための手段と、
ユーザ機器（ＵＥ）の前記バッテリー情報を集めるための手段と、
前記報告モードにおいて前記バッテリー情報を準備するための手段と、
前記ネットワークエンティティに通信移送機構を介して、前記報告モードにおいて前記バッテリー情報を送信するための手段と
を含む、装置。
【請求項２４】
前記ネットワークエンティティは、次の、ＲＡＮエンティティ、コアネットワーク（ＣＮ）エンティティ、または管理システムエンティティ、のうちの１つである、請求項２３に記載の装置。
【請求項２５】
必要である場合にのみ使用するＵＥのバッテリー情報の報告をアクティブ化するための手段をさらに含む、請求項２４に記載の装置。
【請求項２６】
前記報告モードは、次の、定期的モード、イベント・トリガモード、または定期的モードとイベント・トリガモードの組み合わせ、のうちの１つである、請求項２４に記載の装置。
【請求項２７】
前記バッテリー情報は、次の、利用可能な全バッテリー容量、最大容量のパーセンテージ、バッテリー動作のための残り時間、現在の残っているバッテリー容量でダウンロード可能またはアップロード可能なデータ量、または消費速度、のうちの１つとして表現される、請求項２３に記載の装置。
【請求項２８】
前記通信移送機構は、前記ＵＥと無線アクセスネットワーク（ＲＡＮ）エンティティとの間にあり、ここにおいて前記通信移送機構は、アクセス階層（ＡＳ）シグナリングを使用する、請求項２３に記載の装置。
【請求項２９】
前記通信移送機構は、前記ＵＥとコアネットワークエンティティ（ＣＮＥ）との間にあり、ここにおいて前記通信移送機構は、非アクセス階層（ＮＡＳ）シグナリングを使用する、請求項２３に記載の装置。
【請求項３０】
前記通信移送機構は、前記ＵＥと管理システムエンティティとの間にあり、ここにおいて前記通信移送機構は、オープン・モバイル・アライアンス・デバイス管理（ＯＭＡ−ＤＭ）に基づいてトランスポートプロトコルを使用する、請求項２３に記載の装置。
【請求項３１】
バッテリー情報を受信するための装置であって、
報告モードを選択および設定するための手段と、
ユーザ機器（ＵＥ）に通信移送機構を介して、前記報告モードを含む設定情報を送信するための手段と、
前記設定情報および前記報告モードを使用する前記ＵＥから前記バッテリー情報を受信するための手段と
を含む、装置。
【請求項３２】
前記報告モードは、次の、報告期間または報告間隔に基づいた定期的モード、または報告トリガイベントに基づいたイベント・トリガモード、のうちの１つである、請求項３１に記載の装置。
【請求項３３】
前記報告トリガイベントは、ａ）第１のしきい値を下回るＵＥのバッテリーレベル、または、ｂ）第２のしきい値を上回るＵＥのバッテリーレベルを含み、前記第１のしきい値および第２のしきい値は前記ネットワークによって設定され、前記ＵＥに送信されるパラメータである。請求項３２に記載の装置。
【請求項３４】
コンピュータに、ネットワークエンティティから報告モードを含む設定情報を受信させるためのコードと、
前記コンピュータに、ユーザ機器（ＵＥ）のバッテリー情報を集めさせるためのコードと、
前記コンピュータに、前記報告モードにおいて前記バッテリー情報を準備させるためのコードと、
前記コンピュータに、前記ネットワークエンティティに通信移送機構を介して、前記報告モードにおいて前記バッテリー情報を送信させるためのコードと
を含むコンピュータ可読媒体
を含む、コンピュータプログラム製品。
【請求項３５】
コンピュータに、報告モードを選択および設定させるためのコードと、
前記コンピュータに、ユーザ機器（ＵＥ）に通信移送機構を介して、前記報告モードを含む前記設定情報を送信させるためのコードと、
前記コンピュータに、前記設定情報および前記報告モードを使用する前記ＵＥからバッテリー情報を受信させるためのコードと
を含む、コンピュータ可読媒体
を含むコンピュータプログラム製品。
【発明の詳細な説明】
【優先権の主張】
【０００１】
[３５ Ｕ.Ｓ.Ｃ. §１１９の下の優先権の主張]
本特許出願は、２０１０年３月２日に出願された「ＵＥのバッテリー状態の報告」と題し、この譲受人に譲渡され、ここでの引用により、ここに明確に組み込まれる、米国仮特許出願番号第６１/３０９,６６６号の優先権を主張する。
【技術分野】
【０００２】
本開示は、一般的に、モバイルワイヤレス通信のための装置および方法に関する。より具体的には、本開示は、ワイヤレス通信システムにおいてバッテリー情報を報告することに関する。
【背景技術】
【０００３】
ワイヤレス通信システムは、電話通信、ビデオ、データ、メッセージング、およびブロードキャストのようなさまざまな電気通信サービスを提供するために、広く展開されている。典型的なワイヤレス通信システムは、利用可能なシステムリソース（たとえば、帯域幅、送信電力）を共有することによって、複数のユーザとの通信をサポートすることができる多元接続技術を用いることができる。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、および時分割・同期符号分割多元接続（ＴＤ−ＳＣＤＭＡ）システムを含む。
【０００４】
これらの多元接続技術は、市、国家、地域、および地球レベルにおいてさえも通信するための異なるワイヤレスデバイスをイネーブルにする共通のプロトコルを提供するために、さまざまな通信規格において取り入れられている。台頭してきている通信規格の例は、ロング・ターム・エボリューション（ＬＴＥ）である。ＬＴＥは、第３世代パートナーシップ・プロジェクト（３ＧＰＰ：3rd Generation Partnership Project）によって公表されたユニバーサル・モバイル通信システム（ＵＭＴＳ：Universal Mobile Telecommunication System）のモバイル規格に対するエンハンスメントのセットである。それは、スペクトル効率を改善し、コストを低減し、サービスを改善し、新たなスペクトルを使用することによって、モバイル・ブロードバンド・インターネット接続をよりよくサポートし、ダウンリンク（ＤＬ）でのＯＦＤＭＡ、アップリンク（ＵＬ）でのＳＣ−ＦＤＭＡ、および複数入力複数出力（ＭＩＭＯ）のアンテナ技術を使用して他のオープン規格をよりよく統合するように設計される。しかしながら、モバイル・ブロードバンド接続に対する需要が増加し続けると、ＬＴＥ技術においてさらなる改善に対する必要性が存在する。望ましいのは、これらの改善が、これらの技術を用いる通信規格および他の多元接続技術に適用可能にされるべきことである。
【０００５】
一態様において、高度なＬＴＥ技術に関連づけられた新な特徴、のうちの１つは、３ＧＰＰ規格において明記されるドライブ試験の省力化（ＭＤＴ：Minimization of Drive Test）の特徴である。この特徴は、オペレータに、ネットワークパフォーマンスおよびカバレッジ品質に関する情報を集めることにおいて商用のモバイルデバイスを従事させる（engage）ことを可能にするので、ドライブ試験キャンペーン（drive test campaigns）を実行する必要性を回避する。別の一態様において、類似した特徴は、さらに、オープン・モバイル・アライアンス（ＯＭＡ）のような非３ＧＰＰ規格において導入されている。たとえば、ネットワークパフォーマンスおよびカバレッジ品質情報の収集は、さらなるバッテリーエネルギーを消費する、商用のモバイルデバイスにとってさらなる活動になり得る。したがって、十分に残っているバッテリー容量を有するこれらのモバイルデバイスに従事させるのは有利である。ＭＤＴに加えて、モバイルデバイスが実行するように要求され得る他のオプションの活動があり、それに対して残っているバッテリー容量は、ネットワークによって従事させるためのモバイルデバイスを選択するために使用される基準、のうちの１つであることができる。したがって、機構が、モバイルデバイスからネットワークにバッテリー情報を報告する明確な必要性がある。
【発明の概要】
【０００６】
本開示は、バッテリー情報を報告および／または受信するための装置および方法である。一態様によると、バッテリー情報を報告するための方法は、ネットワークエンティティから報告モードを含む設定（configuration）情報を受信することと、ユーザ機器（ＵＥ）のバッテリー情報を集めることと、報告モードにおいてバッテリー情報を準備することと、ネットワークエンティティに通信移送機構を介して、報告モードにおいてバッテリー情報を送信することとを含む。
【０００７】
別の態様によると、バッテリー情報を受信するための方法は、報告モードを選択および設定することと、ユーザ機器（ＵＥ）に通信移送機構を介して、報告モードを含む設定情報を送信することと、設定情報および報告モードを使用するＵＥからバッテリー情報を受信することとを含む。
【０００８】
別の様態によると、プロセッサおよびメモリを含む装置であり、そのメモリは、次の、ネットワークエンティティから報告モードを含む設定情報を受信することと、ユーザ機器（ＵＥ）のバッテリー情報を集めることと、報告モードにおいてバッテリー情報を準備することと、ネットワークエンティティに通信移送機構を介して、報告モードにおいてバッテリー情報を送信することとを実行するためのプロセッサによって実行可能であるプログラムコードを含む。
【０００９】
別の態様によると、プロセッサおよびメモリを含む装置であり、そのメモリは、次の、報告モードを選択および設定することと、ユーザ機器（ＵＥ）に通信移送機構を介して、報告モードを含む設定情報を送信することと、設定情報および報告モードを使用するＵＥからバッテリー情報を受信することとを実行するためのプロセッサによって実行可能であるプログラムコード含む。
【００１０】
別の態様によると、バッテリー情報を報告するための装置は、ネットワークエンティティから報告モードを含む設定情報を受信するための手段と、ユーザ機器（ＵＥ）のバッテリー情報を集めるための手段と、報告モードにおいてバッテリー情報を準備するための手段と、ネットワークエンティティに通信移送機構を介して、報告モードにおけるバッテリー情報を送信するための手段とを含む。
【００１１】
別の態様によると、バッテリー情報を受信するための装置は、報告モードを選択および設定するための手段と、ユーザ機器（ＵＥ）に通信移送機構を介して、報告モードを含む設定情報を送信するための手段と、設定情報および報告モードを使用するＵＥからバッテリー情報を受信するための手段とを含む。
【００１２】
別の態様によると、コンピュータ可読媒体を含むコンピュータプログラム製品は、コンピュータにネットワークエンティティから報告モードを含む設定情報を受信させるためのコードと、コンピュータにユーザ機器（ＵＥ）のバッテリー情報を集めさせるためのコードと、コンピュータに報告モードにおいてバッテリー情報を準備させるためのコードと、コンピュータにネットワークエンティティに通信移送機構を介して、報告モードにおいてバッテリー情報を送信させるためのコードとを含む。
【００１３】
別の態様によると、コンピュータ可読媒体を含むコンピュータプログラム製品は、コンピュータに報告モードを選択および設定させるためのコードと、コンピュータにユーザ機器（ＵＥ）に通信移送機構を介して、報告モードを含む設定情報を送信させるためのコードと、コンピュータに設定情報および報告モードを使用するＵＥからバッテリー情報を受信させるためのコードとを含む。
【００１４】
本開示の利点は、ワイヤレスネットワークが、バッテリー消費とネットワークのパフォーマンスとの間のトレードオフ、またはエンドユーザによって理解されるようなサービス品質を最適化することを可能にすることを含み得る。さらに、最適化は各個別のエンドユーザに適合され得る。
【００１５】
他の態様は、実例としてさまざまな態様が示され、説明される下記の詳細な説明から当業者に容易に理解されるだろう。図面および詳細な説明は、限定としてではなく、本来は実例として見なされるべきである。
【図面の簡単な説明】
【００１６】
【図１】図１は、本開示に従って態様を実現するワイヤレス通信システムの例示的なブロック図である。
【図２】図２は、バッテリー情報を報告するための例示的なフローチャートである。
【図３】図３は、バッテリー情報を受信するための例示的なフローチャートである。
【図４】図４は、バッテリー情報を報告するための第１のデバイスの例である。
【図５】図５は、バッテリー情報を受信するための第１のデバイスの例である。
【図６】図６は、バッテリー情報を報告するための第２のデバイスの例である。
【図７】図７は、バッテリー情報を受信するための第２のデバイス７００の例である。
【図８】図８は、バッテリー情報を報告または受信するために、処理を実行するためのメモリと通信するプロセッサを含むデバイスの例である。
【図９】図９は、たとえば、ネットワークエンティティ／ＵＥシステムのような、２つの端末システムの例を示しているブロック図である。
【図１０】図１０は、複数のユーザデバイスをサポートするワイヤレス通信システム１０９０の例である。
【詳細な説明】
【００１７】
添付された図面に関連して、下記に説明される詳細な説明は、本開示のさまざまな態様の説明として意図され、本開示が実行され得る態様のみを表現するために意図されない。本開示で説明される各態様は、単に本開示の例または実例として提供されるにすぎず、必ずしも他の態様よりも好ましいまたは有利であるとして解釈されるべきではない。詳細な説明は、本開示の徹底的な理解を提供する目的のための特定の詳細を含む。しかしながら、当業者には、本開示がこれらの特定の詳細なしに実行され得るということを理解されるだろう。いくつかの例において、周知の構造およびデバイスは、本開示の概念を不明瞭にすることを避けるために、ブロック図の形態で示される。頭字語および他の記述用語は、単に便宜上および明確さのために使用され得るにすぎず、本開示の範囲を制限することを意図されるのではない。
【００１８】
説明を簡単にする目的のために、方法は一連の動作として示され、説明されるが、いくつかの動作は、１つ以上の態様に従って、ここに示され、説明される他の動作と、異なる順序で、および／または、並行して、行われ得るごとく、前記方法は、前記動作の順序によって限定されないということを理解および認識すべきである。たとえば、当業者は、方法は状態図のような一連の相関状態またはイベントとして代わりに表現されることができるということを理解し、認識するだろう。さらに、すべての説明された動作が、１つ以上の態様に関連付けられた方法を実現するために要求され得ることはない。
【００１９】
ここに説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク等のようなさまざまなワイヤレス通信ネットワークために使用され得る。「ネットワーク」および「システム」という用語は、しばしば区別なく使用される。ＣＤＭＡネットワークは、ユニバーサル地上無線アクセス（ＵＴＲＡ）、ｃｄｍａ２０００等のような無線技術を実現することができる。ＵＴＲＡは、広帯域―ＣＤＭＡ（Ｗ−ＣＤＭＡ）およびロー・チップ・レート（ＬＣＲ：Low Chip Rate）を含む。ｃｄｍａ２０００は、ＩＳ−２０００、ＩＳ−９５、およびＩＳ−８５６規格をカバーする。ＴＤＭＡネットワークは、移動体通信のためのグローバルシステム（ＧＳＭ（登録商標））のような無線技術を実現することができる。ＯＦＤＭＡネットワークは、進化型ＵＴＲＡ（Ｅ−ＵＴＲＡ：Evolved UTRA）、ＩＥＥＥ８０２．１１、ＩＥＥＥ８０２．１６、ＩＥＥＥ８０２．２０、Ｆｌａｓｈ−ＯＦＤＭ（登録商標）、等といった無線技術を実現することができる。ＵＴＲＡ、Ｅ−ＵＴＲＡ、およびＧＳＭは、ユニバーサル・モバイル通信システム（ＵＭＴＳ）の一部である。ロング・ターム・エボリューション（ＬＴＥ）は、Ｅ−ＵＴＲＡを使用するＵＭＴＳのレリース（release）である。ＵＴＲＡ、Ｅ−ＵＴＲＡ、ＧＳＭ、ＵＭＴＳおよびＬＴＥは、「第３世代パートナーシップ・プロジェクト」（３ＧＰＰ）と称する組織による文書において説明されている。ｃｄｍａ２０００は、「第３世代パートナーシップ・プロジェクト２」（３ＧＰＰ２）と称する組織による文書において説明されている。これらのさまざまな無線技術および規格は、当技術分野において周知である。
【００２０】
一態様において、現在のワイヤレスシステムは、（たとえば、ＵＥの休止サイクルの頻度を制御することによって、または、高速チャネルまでのＵＥのアクセスを制御することによって）モバイルデバイスのバッテリー消費と、ネットワークの利用効率と、ユーザに提供されたサービス品質（ＱｏＳ）との間のトレードオフを制御するために機構を提供する、ユニバーサル移動体通信システム（ＵＭＴＳ）、ロング・ターム・レボリューション（ＬＴＥ）、エボリューション・データ・オプティマイズド（ＥｖＤＯ：Evolution Data Optimized）、およびマイクロ波接続のための世界的相互運用性（ＷｉＭａｘ：Worldwide Interoperability for Microwave Access）を含む、３ＧＰＰ、３ＧＰＰ２、ＩＥＥＥ８０２．１６ｅ等に限定はされないが、それらのような異なるワイヤレス規格に基づいている。一例において、ネットワークは、
・たとえば、ユーザプレーン（user plane）データの不活動、アプリケーションまたはトラヒック、スループットのタイプ等、のようなイベントまたは状況
・たとえば、デバイスのタイプ、ＵＥのバッファサイズ等、のようなＵＥの指示または報告
の異なるタイプに基づいて所望のトレードオフを選択することができる。
【００２１】
いくつかのワイヤレスシステムにおいて、ネットワークは、意思決定のためにネットワークによって使用され得る、モバイルデバイスのバッテリー容量の現在の状態に関する情報を有することはできない。そのような情報は、ネットワークが、たとえば、特定の時間で特定のモバイルデバイスのバッテリー消費がいかにクリティカル（critical）であるかに基づいて、現在のトレードオフの設定を変更することのメリットを決定することを可能にすることができる。たとえば、モバイルデバイスの現在のバッテリー情報を周知することによって、ネットワークは、ＵＥのバッテリー寿命の観点からネットワークのリソースをより効率的に管理することができる。バッテリー関連情報の報告は、ワイヤレスネットワークが、ＵＥのバッテリー消費とエンドユーザのサービス品質の認識との間のトレードオフをより最適に決定することを可能にすることができる。具体的に、一例において、バッテリー関連情報の報告は、ワイヤレスネットワークが、上述の最適なトレードオフを提供するように、バッテリーレベルは十分だと思われるこれらのＵＥのみにＭＤＴのようなオプションの活動に従事させることを可能にすることができる。
【００２２】
図１は、本開示に従って態様を実現するワイヤレス通信システムの例示的なブロック図である。ユーザ機器（ＵＥ）またはモバイルデバイス１１０は、アクセスリンク１２１、１２２を通して、ワイヤレスネットワークにユーザアクセスを提供する、モバイルユーザのための通信デバイスである。ＵＥは、バッテリーからそのエネルギーを得るポータブルデバイスであり得る。一例において、バッテリー容量は、たとえば、ミリアンペア時（ｍＡ−ｈ）およびアンペア時（Ａ−ｈ）の電流と時間の積である単位において測定される。無線アクセスネットワーク（ＲＡＮ）エンティティ１３０は、ワイヤレスネットワークにおいてＵＥのためのネットワークエンティティである。一例において、ＲＡＮエンティティは、ノードＢ、ｅノードＢ、無線ネットワーク・コントローラ等であり得る。アクセスリンクは、たとえば、ＲＡＮエンティティ１３０からＵＥ１１０へのフォワードリンク１２１を含む。また、アクセスリンクは、たとえば、ＵＥ１１０からＲＡＮエンティティ１３０へのリバースリンク１２２を含む。ＲＡＮエンティティ１３０は、コアネットワーク（ＣＮ）１５０の一部であるコアネットワークエンティティ（ＣＮＥ）１４０に接続される。一例において、コアネットワークエンティティは、移動通信交換局（ＭＳＣ）、汎用パケット無線サービス（ＧＰＲＳ）交換ノード（ＳＧＳＮ）、モビリティ管理エンティティ（ＭＭＥ）等であり得る。さらなる一例において、ＣＮは、たとえば、リソース管理、障害管理、ネットワーク動作、通知、認証、セキュリティ等の全体的なワイヤレスシステム管理を担当することができる、ネットワーク管理システム１６０に接続される。さらに、ＣＮは、さらに、たとえば、オープン・モバイル・アライアンス・デバイス管理（ＯＭＡ−ＤＭ：Open Mobile Alliance Device Management）プロトコルを使用してモバイルデバイスを制御する、デバイス管理システム１７０に接続され得る。
【００２３】
一態様において、本開示は、モバイルデバイスの現在のバッテリー状態およびレベルでワイヤレスネットワークを通知することに関する。たとえば、情報は、たとえば、ｍＡ−ｈまたはＡ−ｈの単位において、利用可能な全バッテリー容量として、または、最大容量のパーセンテージとして、または、現在の消費速度（current consumption rate）を仮定して、バッテリー動作のための残っている時間として、または、ダウンロード可能またはアップロード可能なデータ量、または現在の残っているバッテリー容量で予想される通話時間、または、これらのファクタの任意の組み合わせとして報告され得る。バッテリー情報（たとえば、バッテリー容量の情報、バッテリー消費の情報、バッテリー状態等）は、定期的モード、イベント・トリガモード、および定期的モードとイベント・トリガモードの組み合わせを含む他のモードを含む、いくつかの報告モードにおいて報告され得る。一態様において、ネットワークは、必要であるまたは所望される場合にのみ使用されるように、ＵＥのバッテリー情報の報告をアクティブ化、または非アクティブ化するように設定することができる。
【００２４】
一態様において、ネットワークは、ＵＥにおいてバッテリー情報の報告を設定する。たとえば、ネットワークは、上記で説明されたように、報告モードをアクティブ化、または非アクティブ化するように設定することができる。周期的な報告のため、ネットワークは、報告周期、または報告間隔を設定することができる。イベント・トリガ報告のため、ネットワークは、報告トリガイベントを設定することができる。報告トリガイベントの例は、「第１のしきい値（threshold）を下回るＵＥのバッテリーレベル」、または、「第２のしきい値を上回るＵＥのバッテリーレベル」を含み得、第１のしきい値および第２のしきい値はネットワークによって設定され、ＵＥに送信されるパラメータである。
【００２５】
一態様において、ネットワークにおける複数のエンティティは、バッテリー関連情報の報告の設定を担当する。そのようなネットワークエンティティの例は、
・無線アクセスネットワーク（ＲＡＮ）エンティティ（たとえば、ＬＴＥにおけるｅノードＢ、ＵＭＴＳにおけるＲＮＣ等）
・コアネットワーク（ＣＮ）エンティティ（たとえば、ＵＭＴＳにおけるＭＳＣまたはＳＧＳＮ、ＬＴＥにおけるＭＭＥ等）
・管理システムエンティティ（たとえば、ネットワーク管理プログラム、または要素管理プログラム、デバイス管理システム（ＤＭＳ）等）
を含み得る。
【００２６】
一例において、ＵＥのバッテリーのための情報の報告および設定は、以下を含み得る異なる通信移送機構を使用して理解され得る。ネットワークエンティティがＲＡＮエンティティである例において、バッテリー関連情報および設定のための通信移送機構は、たとえば、ＵＭＴＳ／ＬＴＥにおける無線リソース制御（ＲＲＣ）メッセージの、たとえば、アクセス階層（ＡＳ：Access Stratum）レベルのシグナリングを使用することによって、ＵＥとＲＡＮエンティティとの間で論理的に行われる。
【００２７】
ネットワークエンティティが、ＣＮエンティティである例において、バッテリー関連情報および設定のための通信移送機構は、ＲＡＮを含み得る、または含み得ない。バッテリー関連情報および設定の通信移送は、たとえば、ＲＡＮに対して透過的な非アクセス階層（ＮＡＳ：Non-Access Stratum）レベルで、ＵＥとＣＮエンティティとの間で行われ得る。
【００２８】
ネットワークエンティティが、管理システムエンティティである例において、通信移送機構は、ＲＡＮまたはＣＮを含み得る、または含み得ない。バッテリー関連情報および設定の通信移送は、たとえば、ＲＡＮに対して透過的なユーザプレーンを経由して、ＵＥと管理システムエンティティとの間で起こり得る。一例において、移送機構は、オープン・モバイル・アライアンス・デバイス管理（ＯＭＡ−ＤＭ）に基づいてトランスポートプロトコルを使用する。一例において、ＯＭＡ−ＤＭは、プロビジョニング（provisioning）、デバイス設定、ソフトウェアのアップデート、障害管理等のようなＵＥ管理のために使用される。
【００２９】
図２は、バッテリー情報を報告するための例示的なフローチャートである。ブロック２１０において、ネットワークエンティティから報告モードを含む設定情報を受信する。一例において、ネットワークエンティティは、必要であるまたは所望される場合にのみ使用されるように、ＵＥのバッテリー情報の報告をアクティブ化または非アクティブ化するように設定する。すなわち、報告モードは、設定情報の一部であり得る。一例において、ネットワークエンティティは、次の、ＲＡＮエンティティ、コアネットワーク（ＣＮ）エンティティ、または管理システムエンティティ、のうちの１つである。
【００３０】
ブロック２２０において、ＵＥのバッテリー情報を集める。一例において、バッテリー情報は、次の、バッテリー容量の情報、バッテリー消費の情報等の１つ以上を含み得る。たとえば、バッテリー消費の情報は、たとえば、ｍＡ−ｈまたはＡ−ｈの単位において、利用可能な全バッテリー容量として表現され得る。別の例において、バッテリー消費の情報は、最大容量のパーセンテージとして表現される。別の例において、バッテリー消費の情報は、現在の消費速度を仮定して、バッテリー動作のための残っている時間として表現される。別の例において、バッテリー消費の情報は、ダウンロード可能またはアップロード可能なデータ量、または現在の残っているバッテリー容量で予想される通話時間として表現される。別の例において、バッテリー消費の情報は、これらのファクタの任意の組み合わせであり得る。
【００３１】
ブロック２３０において、報告モードにおいてバッテリー情報を準備し、ネットワークエンティティに通信移送機構を介して、報告モードにおいてバッテリー情報を送信する。たとえば、報告モードは、次の、定期的モード、イベント・トリガモード、または定期的モードおよびイベント・トリガモードの組み合わせ、のうちの１つである。一例において、通信移送機構は、ＵＥとＲＡＮエンティティとの間にある。たとえば、通信移送機構は、アクセス階層（ＡＳ）シグナリングを使用する。たとえば、ＡＳシグナリングは、無線リソース制御（ＲＲＣ）シグナリングを使用する。別の例において、通信移送機構は、ＵＥとコアネットワークエンティティ（ＣＮＥ）との間にある。たとえば、通信移送機構は、非アクセス階層（ＮＡＳ）シグナリングを使用する。たとえば、通信移送機構は、ＲＡＮエンティティに対して透過的である。別の例において、通信移送機構は、ＵＥと管理システムエンティティとの間にある。たとえば、通信移送機構は、ユーザプレーンを経由する。一例において、通信移送機構は、オープン・モバイル・アライアンス・デバイス管理（ＯＭＡ−ＤＭ）に基づいてトランスポートプロトコルを使用する。一例において、通信トランスポートプロトコルは、プロビジョニング、デバイス設定、ソフトウェアのアップデート、障害管理等のようなＵＥ管理のために使用される。
【００３２】
図３は、バッテリー情報を受信するための例示的なフローチャートである。ブロック３１０において、報告モードを選択および設定する。一例において、設定は、ＵＥのバッテリー情報の報告をアクティブ化することを含み得る。すなわち、報告モードは、設定情報の一部であり得る。一例において、報告モードは、定期的モードである。たとえば、定期的モードは、報告期間または報告間隔に基づくことができる。別の例において、報告モードは、イベント・トリガモードである。たとえば、イベント・トリガモードは、報告トリガイベントに基づくことができる。報告トリガイベントの例は、「第１のしきい値を下回るＵＥのバッテリーレベル」、または、「第２のしきい値を上回るＵＥのバッテリーレベル」を含み得、第１のしきい値および第２のしきい値はネットワークによって設定され、ＵＥに送信されるパラメータである。
【００３３】
ブロック３２０において、ユーザ機器（ＵＥ）に通信移送機構を介して、報告モードを含む設定情報を送信する。一例において、通信移送機構は、ＲＡＮエンティティとＵＥとの間にある。たとえば、通信移送機構は、アクセス階層（ＡＳ）シグナリングを使用する。たとえば、ＡＳシグナリングは、無線リソース制御（ＲＲＣ）シグナリングを使用する。別の例において、通信移送機構は、コアネットワークエンティティ（ＣＮＥ）とＵＥとの間にある。たとえば、通信移送機構は、非アクセス階層（ＮＡＳ）シグナリングを使用する。たとえば、通信移送機構は、ＲＡＮエンティティに対して透過的である。別の例において、通信移送機構は、管理システムエンティティとＵＥとの間にある。たとえば、移送機構は、ユーザプレーンを経由する。一例において、移送機構は、オープン・モバイル・アライアンス・デバイス管理（ＯＭＡ−ＤＭ）に基づいてトランスポートプロトコルを使用する。一例において、トランスポートプロトコルは、プロビジョニング、デバイス設定、ソフトウェアのアップデート、障害管理等のようなＵＥ管理のために使用される。 
ブロック３３０において、設定情報および報告モードを使用するユーザ機器（ＵＥ）からバッテリー情報を受信する。一例において、バッテリー情報は、次の、バッテリー容量の情報、バッテリー消費の情報、バッテリー状態等の１つ以上を含み得る。一例において、バッテリー消費の情報は、たとえば、ｍＡ−ｈまたはＡ−ｈの単位において、利用可能な全バッテリー容量である。別の例において、バッテリー消費の情報は、最大容量のパーセンテージである。別の例において、バッテリー消費の情報は、現在の消費速度を仮定して、バッテリー動作のための残っている時間である。別の例において、バッテリー消費の情報は、ダウンロード可能またはアップロード可能なデータ量、または現在の残っているバッテリー容量で予想される通話時間である。別の例において、バッテリー情報は、同一の通信移送機構を使用して受信される。別の例において、バッテリー情報は、異なる通信移送機構を使用して受信される。
【００３４】
図４は、バッテリー情報を報告するための第１のデバイス４００の例である。デバイス４００は、通信デバイスとして、または通信デバイス内で使用するための類似したデバイスまたはプロセッサとして構成され得る。描写されるように、デバイス４００は、プロセッサ、ソフトウェア、ハードウェア、またはそれらの組み合わせ（たとえば、ファームウェア）によって実現される機能を表現することができる、機能ブロックを含み得る。描かれているように、デバイス４００は、ネットワークエンティティから報告モードを含む設定情報を受信するための、電気コンポーネント４１０を含み得る。デバイス４００は、ユーザ機器（ＵＥ）のバッテリー情報を集めるための、電気コンポーネント４２０を含み得る。デバイス４００は、報告モードにおいてバッテリー情報を準備し、通信移送機構を介して、報告モードにおいてバッテリー情報を送信するための、電気コンポーネント４３０を含み得る。デバイス４００は、少なくとも１つのプロセッサを有するプロセッサモジュール４０２を任意に含み得る。一態様において、デバイス４００は、プロセッサとしてではなく、ネットワークエンティティとして設定され得る。プロセッサ４０２は、そのようなケースにおいて、バス４０４または類似した通信結合を経由して、電気コンポーネント４１０−４３０と通信可能であり得る。プロセッサ４０２は、電気コンポーネント４１０−４３０によって、実行される処理または機能の始動およびスケジューリングに影響を与え得る。関連する態様において、デバイス４００は、トランシーバモジュール４０６を含み得る。スタンドアロン受信機および／またはスタンドアロン送信機は、トランシーバモジュール４０６の代わりに、または連動して使用され得る。さらなる関連する態様において、デバイス４００は、たとえば、メモリモジュール４０８のような情報を記憶するためのモジュールを任意に含み得る。メモリモジュール４０８は、コンピュータ可読媒体を含み得、バス４０４等を経由してデバイス４００の他のコンポーネントに動作可能に結合され得る。メモリモジュール４０８は、電気コンポーネント４１０−４３０、および、それらのサブコンポーネント、またはプロセッサ４０２、の処理および動きを生じさせるための、つまり、ここに開示される方法のための、コンピュータ可読のコード、命令、および／またはデータ、を記憶するように適合され得る。メモリモジュール４０８は、電気コンポーネント４１０−４３０に関連付けられた機能を実行するためのコード／命令を保存することができる。メモリモジュール４０８の外部にあるように示されるが、電気コンポーネント４１０−４３０は、メモリモジュール４０８内に存在することができるということを理解すべきである。
【００３５】
図５は、バッテリー情報を受信するための第１のデバイス５００の例である。デバイス５００は、通信デバイスとして、または通信デバイス内で使用するための類似したデバイスまたはプロセッサとして構成され得る。描写されるように、デバイス５００は、プロセッサ、ソフトウェア、ハードウェア、またはそれらの組み合わせ（たとえば、ファームウェア）によって実現される機能を表現することができる、機能ブロックを含み得る。描かれているように、デバイス５００は、報告モードを選択および設定するための、電気コンポーネント５１０を含み得る。デバイス５００は、ユーザ機器（ＵＥ）に通信移送機構を介して、報告モードを含む設定情報を送信するための電気コンポーネント５２０を含み得る。デバイス５００は、設定情報および報告モードを使用するユーザ機器（ＵＥ）からバッテリー情報を受信するための電気コンポーネント５３０を含み得る。デバイス５００は、少なくとも１つのプロセッサを有するプロセッサモジュール５０２を任意に含み得る。一態様において、デバイス５００は、プロセッサとしてではなく、ネットワークエンティティとして設定され得る。プロセッサ５０２は、そのようなケースにおいて、バス５０４または類似した通信結合を経由して、電気コンポーネント５１０−５３０と通信可能であり得る。プロセッサ５０２は、電気コンポーネント５１０−５３０によって、実行される処理または機能の始動およびスケジューリングに影響を与え得る。関連する態様において、デバイス５００は、トランシーバモジュール５０６を含み得る。スタンドアロン受信機および／またはスタンドアロン送信機は、トランシーバモジュール５０６の代わりに、または連動して使用され得る。さらなる関連する態様において、デバイス５００は、たとえば、メモリモジュール５０８のような情報を記憶するためのモジュールを任意に含み得る。メモリモジュール５０８は、コンピュータ可読媒体を含み得、バス５０４等を経由してデバイス５００の他のコンポーネントに動作可能に結合され得る。メモリモジュール５０８は、コンピュータ可読のコード、命令、および／または電気コンポーネント５１０−５３０の処理および動きに影響を与えるためのデータ、およびそれらのサブコンポーネント、またはプロセッサ５０２、またはここで開示される方法を記憶するように適合され得る。メモリモジュール５０８は、電気コンポーネント５１０−５３０に関連付けられた機能を実行するためのコード／命令を保存することができる。メモリモジュール５０８の外部にあるように示されるが、電気コンポーネント５１０−５３０は、メモリモジュール５０８内に存在することができるということを理解すべきである。
【００３６】
当業者は、図２および図３の例示的なフローチャートにおいて開示されるステップは、本開示の範囲および精神から逸脱することなく、それらの順序において入れ替えることができるということを理解するだろう。また、当業者は、フローチャートにおいて説明されるステップは排他的ではなく、他のステップが含まれ、本開示の範囲および精神に影響を及ぼすことなく、例示的なフローチャートにおける１つ以上のステップが削除され得るということを理解するだろう。
【００３７】
当業者は、ここで開示される例に関連して説明される、さまざまな例示的なコンポーネント、論理ブロック、モジュール、回路、および／またはアルゴリズムのステップは、電気ハードウェア、ファームウェア、コンピュータソフトウェア、またはそれらの組み合わせとして実現され得ることをさらに理解するだろう。ハードウェア、ファームウェア、およびソフトウェアのこの互換性を明確に示すために、さまざまな例示的なコンポーネント、ブロック、モジュール、回路、および／またはアルゴリズムのステップが、それらの機能の観点で一般的に上述されている。そのような機能が、ハードウェア、ファームウェア、またはソフトウェアとして実現されるかどうかは、システム全体に課された特定の用途、および設計上の制約に依存する。当業者は、各特定の用途ごとにさまざまな手法で説明される機能を実現することができるが、そのような実現の決定は、本開示の範囲または精神から逸脱するものとして解釈されるべきではない。
【００３８】
たとえば、ハードウェアの実現のために、処理単位は、そこで説明される機能を実行するように設計された、１つ以上の特定用途向け集積回路（ＡＳＩＣ）、デジタル・シグナル・プロセッサ（ＤＳＰ）、デジタル信号処理デバイス（ＤＳＰＤ）、プログラム可能な論理デバイス（ＰＬＤ）、フィールドプログラム可能なゲートアレイ（ＦＰＧＡ）、プロセッサ、コントローラ、マイクロコントローラ、マイクロプロセッサ、他の電気単位、またはそれらの組み合わせの中で実現され得る。ソフトウェアの場合、実現はそこで説明される機能を実行するモジュール（たとえば、手順、機能等）によってなされ得る。ソフトウェアコードは、メモリ単位に記憶され、プロセッサ単位によって実行され得る。さらに、ここで説明されるさまざまな例示的なフローチャート、論理ブロック、モジュール、および／またはアルゴリズムのステップは、さらに、当技術分野において周知の任意のコンピュータ可読媒体で実行され、当技術分野において周知の任意のコンピュータプログラム製品において実現される、コンピュータ可読の命令としてコード化され得る。一態様において、コンピュータ可読媒体は、一時的でないコンピュータ可読媒体を含む。
【００３９】
１つ以上の例において、ここで説明されるステップまたは機能は、ハードウェア、ソフトウェア、ファームウェア、またはそれらの任意の組み合わせで実現されることができる。ソフトウェアで実現される場合、機能は、１つ以上の命令またはコードとしてコンピュータ可読媒体で記憶され、送信されることができる。コンピュータ可読媒体は、コンピュータプログラムをある場所から別の場所への転送を容易にする任意の媒体を含む、コンピュータ記憶媒体と通信媒体の両方を含む。記憶媒体は、コンピュータによってアクセスされることができる任意の利用可能な媒体であることができる。限定ではなく例として、そのようなコンピュータ可読媒体は、命令またはデータ構造の形態で所望のプログラムコードを実行または記憶するために、使用されることができ、かつ、コンピュータによってアクセスされることができる、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または任意の他の媒体を含むことができる。また、任意の接続はコンピュータ可読媒体と適切に呼ばれる。たとえば、ソフトウェアが、同軸ケーブル、光ファイバー・ケーブル、ツイストペア、デジタル加入者線（ＤＳＬ）、または赤外線、無線、およびマイクロ波のようなワイヤレス技術を使用してウェブサイト、サーバ、または他の遠隔ソースから送信された場合、同軸ケーブル、光ファイバー・ケーブル、ツイストペア、ＤＳＬ、または赤外線、無線、およびマイクロ波のようなワイヤレス技術が、媒体の定義に含まれる。ディスク（disk）およびディスク（disc）は、ここで使用される場合、コンパクト・ディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、磁気的にデータを再生するが、ディスク（disc）は、レーザーを用いて光学的にデータを再生する。上記の組み合わせは、さらに、コンピュータ可読媒体の範囲内に含まれるべきである。
【００４０】
図６は、バッテリー情報を報告するための第２のデバイス６００の例である。一態様において、デバイス６００は、ブロック６１０、６２０、および６３０においてここで説明されるような、バッテリー情報を報告する異なる態様を提供するように設定される１つ以上のモジュールを含む、少なくとも１つのプロセッサによって実現される。たとえば、各モジュールはハードウェア、ファームウェア、ソフトウェアまたはそれらの任意の組み合わせを含む。一態様おいて、デバイス６００は、さらに、少なくとも１つのプロセッサと通信する少なくとも１つのメモリによって実現される。
【００４１】
図７は、バッテリー情報を受信するための第２のデバイス７００の例である。一態様において、デバイス７００は、ブロック７１０、７２０、および７３０においてここで説明されるような、バッテリー情報を受信する異なる態様を提供するように設定される１つ以上のモジュールを含む、少なくとも１つのプロセッサによって実現される。たとえば、各モジュールはハードウェア、ファームウェア、ソフトウェアまたはそれらの任意の組み合わせを含む。一態様おいて、デバイス７００は、さらに、少なくとも１つのプロセッサと通信する少なくとも１つのメモリによって実現される。
【００４２】
一例において、ここで説明される例示的なコンポーネント、フローチャート、論理ブロック、モジュール、および／またはアルゴリズムのステップは、１つ以上のプロセッサで実現または実行される。一態様において、プロセッサは、ここで説明されるさまざまなフローチャート、論理ブロック、および／またはモジュールを実現または実行するためのプロセッサによって実行されるために、データ、メタデータ、プログラムの命令等を記憶するメモリに結合される。図８は、バッテリー情報を報告または受信するために、処理を実行するためのメモリ８２０と通信するプロセッサ８１０を含む、デバイス８００の例である。一例において、デバイス８００は、図２および図３に説明されるアルゴリズムを実現するために使用される。一態様において、メモリ８２０は、プロセッサ８１０の範囲内に位置している。別の態様において、メモリ８２０は、プロセッサ８１０の外部にある。一態様において、プロセッサは、ここで説明されるさまざまなフローチャート、論理ブロック、および／またはモジュールを実現または実行するための回路を含む。
【００４３】
図９は、たとえば、ネットワークエンティティ／ＵＥシステム９００のような、２つの端末システムの例を示しているブロック図である。当業者は、図９に示される例示的なネットワークエンティティ／ＵＥシステム９００は、ＦＤＭＡ環境、ＯＦＤＭＡ環境、ＣＤＭＡ環境、ＷＣＤＭＡ環境、ＴＤＭＡ環境、ＳＤＭＡ環境、または任意の他の適切なワイヤレス環境において実現され得るということを理解するだろう。
【００４４】
ネットワークエンティティ／ＵＥシステム９００は、ネットワークエンティティ９０１（たとえば、ＲＡＮエンティティ、コアネットワーク（ＣＮ）エンティティ、または管理システムエンティティ）、およびユーザ機器またはＵＥ１００１（たとえば、ワイヤレス通信デバイス）を含む。ダウンリンク区間（leg）において、ネットワークエンティティ９０１は、トラヒックデータを読み込み、フォーマットし、コード化し、インターリーブおよび変調（またはシンボルマップ）し、変調シンボル（たとえば、データシンボル）を提供する、送信（ＴＸ）データプロセッサＡ ９１０を含む。ＴＸデータプロセッサＡ ９１０は、シンボル変調器Ａ ９２０と通信する。シンボル変調器Ａ ９２０は、データシンボルおよびダウンリンクパイロットシンボルを読み込み、処理し、シンボルのストリームを提供する。一態様において、トラヒックデータを変調（またはシンボルマップ）し、変調シンボル（たとえば、データシンボル）を供給するのは、シンボル変調器Ａ ９２０である。一態様において、シンボル変調器Ａ ９２０は、設定情報を提供するプロセッサＡ ９８０と通信する。シンボル変調器Ａ ９２０は、送信機ユニット（ＴＭＴＲ）Ａ ９３０と通信する。シンボル変調器Ａ ９２０は、データシンボルおよびダウンリンクパイロットシンボルを多重送信し、それらを送信機ユニットＡ ９３０に供給する。
【００４５】
送信される各シンボルは、データシンボル、ダウンリンクパイロットシンボル、またはゼロの信号値であり得る。ダウンリンクパイロットシンボルは、各シンボル期間に連続的に送信され得る。一態様において、ダウンリンクパイロットシンボルは、周波数分割多重（ＦＤＭ）である。別の態様において、ダウンリンクパイロットシンボルは、直交周波数多重（ＯＦＤＭ）である。さらなる別態様において、ダウンリンクパイロットシンボルは、符号分割多重（ＣＤＭ）である。一態様において、送信機ユニットＡ ９３０は、受信し、シンボルのストリームを１つ以上のアナログ信号に変換し、さらに、ワイヤレス送信に適切なアナログダウンリンク信号を生成するために、アナログ信号を、たとえば、増幅し、フィルタをかけ、および／または周波数アップコンバート等して、調整する。アナログダウンリンク信号は、その後、アンテナ１４０を通して送信される。
【００４６】
ダウンリンク区間において、ＵＥ１００１は、アナログダウンリンク信号を受信し、アナログダウンリンク信号を受信機単位（ＲＣＶＲ）Ｂ １０２０に入力するためのアンテナ１０１０を含む。一態様において、受信機単位Ｂ １０２０は、アナログダウンリンク信号を、たとえば、フィルタをかけ、増幅し、第１の「調整された（conditioned）」信号に周波数ダウンコンバートする等して、調整する。第１の「調整された」信号は、その後、標本化される。受信機単位Ｂ １０２０は、シンボル復調器Ａ １０３０と通信する。シンボル復調器Ｂ １０３０は、受信機単位Ｂ １０２０からアウトプットされた、第１の「調整された」および「標本化された（sampled）」信号（たとえば、データシンボル）を復調する。当業者は、他の選択肢（alternative）がシンボル復調器Ｂ １０３０においてサンプリング処理を実現することである、と理解するだろう。シンボル復調器Ｂ １０３０は、プロセッサＢ １０４０と通信する。プロセッサＢ １０４０は、シンボル復調器Ｂ １０３０からダウンリンクパイロットシンボルを受信し、ダウンリンクパイロットシンボルでチャネル推定を実行する。一態様において、チャネル推定は現在の伝搬環境（current propagation environment）を特徴づける処理である。シンボル復調器Ｂ １０３０は、プロセッサＢ １０４０からダウンリンク区間のための周波数応答の推定値を受信する。シンボル復調器Ｂ １０３０は、ダウンリンクの経路でデータシンボルの推定値を得るために、データシンボルでデータ復調を実行する。ダウンリンク経路でのデータシンボルの推定値は、送信されたデータシンボルの推定値である。シンボル復調器Ｂ １０３０は、さらに、ＲＸデータプロセッサＢ １０５０と通信する。
【００４７】
ＲＸデータプロセッサＢ １０５０は、シンボル復調器Ｂ １０３０からダウンリンク経路でのデータシンボルの推定値を受信し、たとえば、トラヒックデータを回復するために、ダウンリンク経路でのデータシンボルの推定値を復調（すなわち、シンボルデマップ）し、デインターリーブし、および／またはデコードする。一態様において、シンボル復調器Ｂ １０３０およびＲＸデータプロセッサＢ １０５０によって処理することは、シンボル変調器Ａ ９２０およびＴＸデータプロセッサＡ ９１０によってそれぞれ処理することに相補的（complementary）である。
【００４８】
アップリンク区間において、ＵＥ１００１は、ＴＸデータプロセッサＢ １０６０を含む。ＴＸデータプロセッサＢ １０６０は、データシンボルをアウトプットするために、トラヒックデータを読み込み、処理する。ＴＸデータプロセッサＢ １０６０は、シンボル変調器Ｄ １０７０と通信する。シンボル変調器Ｄ １０７０は、変調を実行し、シンボルのストリームを提供するアップリンクパイロットシンボルでデータシンボルを読み込み、多重送信する。一態様において、シンボル変調器Ｄ １０７０は、設定情報を提供するプロセッサＢ １０４０と通信する。シンボル変調器Ｄ １０７０は、送信機ユニットＢ １０８０と通信する。
【００４９】
送信される各シンボルは、データシンボル、アップリンクパイロットシンボル、またはゼロの信号値であり得る。アップリンクパイロットシンボルは、各シンボル期間に連続的に送信され得る。一態様において、アップリンクパイロットシンボルは、周波数分割多重（ＦＤＭ）である。別の態様において、アップリンクパイロットシンボルは、直交周波数多重（ＯＦＤＭ）である。さらなる別態様において、アップリンクパイロットシンボルは、符号分割多重（ＣＤＭ）である。一態様において、送信機ユニットＢ ２８０は、受信し、シンボルのストリームを１つ以上のアナログ信号に変換し、さらに、ワイヤレス送信に適切なアナログアップリンク信号を生成するために、アナログ信号を、たとえば、増幅し、フィルタをかけ、および／または周波数アップコンバート等して、調整する。アナログアップリンク信号は、その後、アンテナ１０１０を通して送信される。
【００５０】
ＵＥ１００１からのアナログアップリンク信号は、アンテナ９４０によって受信され、サンプルを得るために、受信機ユニットＡ ９５０によって処理される。一態様において、受信機ユニットＡ ９５０は、アナログアップリンク信号を、たとえば、フィルタをかけ、増幅し、第２の「調整された」信号に周波数ダウンコンバートする等して、調整する。第２の「調整された」信号」は、その後、標本化される。受信機ユニットＡ ９５０は、シンボル復調器Ｃ ９６０と通信する。当業者は、他の選択肢が、シンボル復調器Ｃ ９６０においてサンプリング処理を実現することである、と理解するだろう。シンボル復調器Ｃ ９６０は、アップリンク経路でのデータシンボルの推定値を得るために、データシンボルでデータの復調を実行し、その後、ＲＸデータプロセッサＡ ９７０にアップリンクパイロットシンボルおよびアップリンク経路でのデータシンボルの推定値を提供する。アップリンク経路でのデータシンボルの推定値は、送信されたデータシンボルの推定値である。ＲＸデータプロセッサＡ ９７０は、ワイヤレス通信デバイス１００１によって送信されたトラヒックデータを回復するために、アップリンク経路でのデータシンボルの推定値を処理する。シンボル復調器Ｃ ９６０は、さらにプロセッサＡ ９８０と通信する。プロセッサＡ ９８０は、アップリンク区間での各アクティブ端末送信のためにチャネル推定を実行する。一態様において、複数の端末は、それらにそれぞれ割り当てられたパイロットサブバンドのセットにてアップリンク区間でパイロットシンボルを並行して送信することができ、ここにおいてパイロットサブバンドのセットは、インターレースされ得る。
【００５１】
プロセッサＡ ９８０およびプロセッサＢ １０４０は、ネットワークエンティティ９０１およびＵＥ１００１で、それぞれ動作を指示する（すなわち、制御する、調整する、または管理する等）。一態様において、一方または両方のプロセッサＡ ９８０およびプロセッサＢ １０４０は、プログラムコードおよび／またはデータを記憶するための１つ以上のメモリ単位（図示せず）に関連付けられる。一態様において、一方または両方のプロセッサＡ ９８０またはプロセッサＢ １０４０、または両方が、アップリンク区間およびダウンリンク区間のための周波数およびインパルス応答の推定値をそれぞれ引き出すために、計算を実行する。
【００５２】
一態様において、ネットワークエンティティ／ＵＥシステム９００は、多元接続システムである。多元接続システム（たとえば、周波数分割多元接続（ＦＤＭＡ）、直交周波数分割多元接続（ＯＦＤＭＡ）、符号分割多元接続（ＣＤＭＡ）、時分割多元接続（ＴＤＭＡ）、空間分割多元接続（ＳＤＭＡ）等）のために、複数の端末は、複数のＵＥにアクセスすることを可能にするアップリンク区間で同時に送信する。一態様において、多元接続システムのために、パイロットサブバンドは、異なる端末間で共有され得る。チャネル推定技法は、各端末のためのパイロットサブバンドが、全体の動作帯域（あるいは帯域端を除いて）におよぶケースにおいて使用される。そのようなパイロットサブバンドの設定は、各端末のための周波数ダイバーシチを得ることが望ましい。
【００５３】
図１０は、複数のユーザデバイスをサポートするワイヤレス通信システム１０９０の例である。図１０において、参照番号１０９２Ａから１０９２Ｇは、セルと呼ばれ、参照番号１０９８Ａから１０９８Ｇは基地局（ＢＳ）またはノードＢと呼ばれ、参照番号１０９６Ａから１０９６Ｊは、アクセスユーザデバイス（別名、ユーザ機器）と呼ばれる。セルのサイズは変化することできる。任意のさまざまなアルゴリズムおよび方法は、システム１０９０において送信をスケジュールするために使用され得る。システム１０９０は、１０９２Ｇを通して多数のセル１０９２Ａのための通信を提供し、各々は、１０９８Ｇを通して対応する基地局１０９８Ａによって、それぞれサービスされる。
【００５４】
開示の態様の先の説明は、いずれの当業者でも本開示を作り出し、使用することを可能にさせるために提供されている。これらの態様に対するさまざまな変更は、当業者に容易に理解され、ここで定義される一般的な原理は、本開示の精神および範囲から逸脱することなく、他の態様に適応することができる。
【図１】
2013521707.tif 000003
【図２】
2013521707.tif 000004
【図３】
2013521707.tif 000005
【図４】
2013521707.tif 000006
【図５】
2013521707.tif 000007
【図６】
2013521707.tif 000008
【図７】
2013521707.tif 000009
【図８】
2013521707.tif 000010
【図９】
2013521707.tif 000011
【図１０】
2013521707.tif 000012
【国際調査報告】
2013521707.tif 000013
2013521707.tif 000014
2013521707.tif 000015